(57)【要約】【課題】展示の見栄えを容易に変更可能なディスプレイ台を提供する。【解決手段】ディスプレイ台１０は、乗物模型が載置可能な基部１１と、前記基部１１との間に空間をあけて前記基部１１の上方に配置される天井部１２と、前記基部１１及び前記天井部１２それぞれの縁部に沿って前記基部１１と前記天井部１２との間に設置され、前記天井部１２を支持する支持部１３と、を備え、前記支持部１３は、前記基部１１及び前記天井部１２に対して着脱可能に設置される支柱１３ａを有し、前記基部１１及び前記天井部１２の少なくとも一方の縁部は、側方に開放された溝であって、前記支柱１３ａの端部を受容する第１受容溝１４を有する。【選択図】図１
2017202095.tif 000002
【特許請求の範囲】
【請求項１】
乗物模型が載置可能な基部と、
前記基部との間に空間をあけて前記基部の上方に配置される天井部と、
前記基部及び前記天井部それぞれの縁部に沿って前記基部と前記天井部との間に設置され、前記天井部を支持する支持部と、
を備え、
前記支持部は、前記基部及び前記天井部に対して着脱可能に設置される支柱を有し、
前記基部及び前記天井部の少なくとも一方の縁部は、側方に開放された溝であって、前記支柱の端部を受容する第１受容溝を有するディスプレイ台。
【請求項２】
請求項１記載のディスプレイ台であって、
前記基部及び前記天井部の縁部は、互いに並行して直線状に延びる第１辺及び第２辺をそれぞれ有し、
前記基部及び前記天井部の少なくとも一方の縁部の前記第１辺には当該第１辺の延在方向に延びるガイド溝が設けられ、前記第２辺には他のディスプレイ台の前記ガイド溝に沿って移動可能に当該ガイド溝に係合可能な係合部が設けられているディスプレイ台。
【請求項３】
請求項２記載のディスプレイ台であって、
前記基部及び前記天井部の縁部は、前記第１辺及び前記第２辺と交差し且つ互いに並行して延びる第３辺及び第４辺をそれぞれ有し、
前記基部及び前記天井部の少なくとも一方の縁部の前記第３辺には連結凹部が設けられ、前記第４辺には他のディスプレイ台の前記連結凹部に係合可能な連結凸部が設けられているディスプレイ台。
【請求項４】
請求項３記載のディスプレイ台であって、
前記乗物模型は、複数連結可能なものであり、
前記基部は、前記乗物模型に係合して前記乗物模型を固定可能な固定部を有し、
前記連結凹部と前記連結凸部との係合によって連結された複数のディスプレイ台の前記固定部は、連結された複数の前記乗物模型にそれぞれ係合するディスプレイ台。
【請求項５】
請求項３又は４記載のディスプレイ台であって、
前記連結凹部に係合可能な前記連結凸部を有し、前記基部又は前記天井部の縁部に着脱可能に装着されるネームプレートをさらに備えるディスプレイ台。
【請求項６】
請求項１から５のいずれか一項記載のディスプレイ台であって、
前記天井部は、他のディスプレイ台が載置可能であり、
前記天井部の上面には、他のディスプレイ台の前記基部の下面に係合して当該基部を位置決め可能な位置決め部が設けられているディスプレイ台。
【請求項７】
請求項６記載のディスプレイ台であって、
前記基部及び前記天井部の少なくとも一方の縁部は、側方に開放された溝であって、前記支柱の端部を受容する第２受容溝を有し、
前記第２受容溝は、前記第１受容溝を正面に見た場合のディスプレイ台の背面側に設けられているディスプレイ台。
【発明の詳細な説明】
【技術分野】
【０００１】
本発明は、乗物模型を展示可能なディスプレイ台に関する。
【背景技術】
【０００２】
特許文献１に記載されたディスプレイ台は、略矩形状の床面を形成するパレットと、パレットの縁部の三辺に沿って設けられる板状側壁とを備え、板状側壁の上縁には他のディスプレイ台のパレットが載置可能であり、複数のディスプレイ台を上下に積み重ねることが可能に構成されている。そして、板状側壁によって囲われることなく開放された縁部の一辺には、上に配置されるパレットの撓みを抑制するための支柱部材が設置可能である。
【先行技術文献】
【特許文献】
【０００３】
【特許文献１】特開２０１３−１４４０２１号公報
【発明の概要】
【発明が解決しようとする課題】
【０００４】
特許文献１に記載されたディスプレイ台では、支柱部材は上下両端に突起を有し、上下に隣り合う二つのディスプレイ台のパレットにそれぞれ形成された孔に突起を嵌合させ、これら二つのディスプレイ台のパレットの間に設置されている。このため、複数のディスプレイ台が積み重ねられた状態では支柱部材を着脱することができない。支柱部材を着脱して展示の見栄えを変更するには、積み重ねられた複数のディスプレイ台を一旦崩す必要があり、手間を要する。
【０００５】
本発明は、上述した事情に鑑みなされたものであり、展示の見栄えを容易に変更可能なディスプレイ台を提供することを目的とする。
【課題を解決するための手段】
【０００６】
本発明に係るディスプレイ台は、乗物模型が載置可能な基部と、前記基部との間に空間をあけて前記基台の上方に配置される天井部と、前記基部及び前記天井部それぞれの縁部に沿って前記基部と前記天井部との間に設置され、前記天井部を支持する支持部と、を備え、前記支持部は、前記基部及び前記天井部に対して着脱可能に設置される支柱を有し、前記基部及び前記天井部の少なくとも一方の縁部は、側方に開放された溝であって、前記支柱の端部を受容する第１受容溝を有することを特徴とする。
【０００７】
また、本発明に係るディスプレイ台においては、前記基部及び前記天井部の縁部は、互いに並行して直線状に延びる第１辺及び第２辺をそれぞれ有し、前記基部及び前記天井部の少なくとも一方の縁部の前記第１辺には当該第１辺の延在方向に延びるガイド溝が設けられ、前記第２辺には他のディスプレイ台の前記ガイド溝に沿って移動可能に当該ガイド溝に係合可能な係合部が設けられていてもよい。
【０００８】
また、本発明に係るディスプレイ台においては、前記基部及び前記天井部の縁部は、前記第１辺及び前記第２辺と交差し且つ互いに並行して延びる第３辺及び第４辺をそれぞれ有し、前記基部及び前記天井部の少なくとも一方の縁部の前記第３辺には連結凹部が設けられ、前記第４辺には他のディスプレイ台の前記連結凹部に係合可能な連結凸部が設けられていてもよい。
【０００９】
また、本発明に係るディスプレイ台においては、前記乗物模型は、複数連結可能なものであり、前記基部は、前記乗物模型に係合して前記乗物模型を固定可能な固定部を有し、前記連結凹部と前記連結凸部との係合によって連結された複数のディスプレイ台の前記固定部は、連結された複数の前記乗物模型にそれぞれ係合してもよい。
【００１０】
また、本発明に係るディスプレイ台においては、前記連結凹部に係合可能な前記連結凸部を有し、前記基部又は前記天井部の縁部に着脱可能に装着されるネームプレートをさらに備えてもよい。
【００１１】
また、本発明に係るディスプレイ台においては、前記天井部は、他のディスプレイ台が載置可能であり、前記天井部の上面には、他のディスプレイ台の前記基部の下面に係合して当該基部を位置決め可能な位置決め部が設けられていてもよい。
【００１２】
また、本発明に係るディスプレイ台においては、前記基部及び前記天井部の少なくとも一方の縁部は、側面に開放された溝であって、前記支柱の端部を受容する第２受容溝を有し、前記第２受容溝は、前記第１受容溝を正面に見た場合のディスプレイ台の背面側に設けられていてもよい。
【発明の効果】
【００１３】
本発明によれば、展示の見栄えを容易に変更可能なディスプレイ台を提供することができる。
【図面の簡単な説明】
【００１４】
【図１】本発明の実施形態を説明するためのディスプレイ台の一例の構成を示す斜視図である。
【図２】図１に示すディスプレイ台からが支柱を取り外した状態を示す斜視図である。
【図３】図１に示すディスプレイ台に鉄道車両模型を載置した斜視図である。
【図４】図１に示すディスプレイ台に支柱を収納した状態を示す斜視図である。
【図５】図１に示すディスプレイ台のガイド溝と係合部を示す斜視図である。
【図６】複数のディスプレイ台の連結方法の一例を示す斜視図である。
【図７】複数のディスプレイ台の連結方法の別例を示す斜視図である。
【図８】複数のディスプレイ台の連結方法の別例を示す側面図である。
【図９】複数のディスプレイ台を連結方法の別例を示す斜視図である。
【図１０】図１に示すディスプレイ台にネームプレートを取り付ける方法を示す斜視図である。
【発明を実施するための形態】
【００１５】
図１は、本発明の実施形態を説明するためのディスプレイ台の一例の構成を示す斜視図である。
【００１６】
図１に示すディスプレイ台１０は、乗物模型としての鉄道車両模型を展示する組み立て式のディスプレイ台であって、鉄道車両模型が載置される矩形板状の基部１１と、基部１１との間に鉄道車両模型が収容される空間をあけて基部１１の上方に配置される矩形枠状の天井部１２と、基部１１及び天井部１２それぞれの縁部に沿って基部１１と天井部１２との間に設置され、天井部１２を支持する支持部１３とを備える。
【００１７】
基部１１及び天井部１２の縁部は、互いに並行して直線状に延びる第１辺１１ａ、１２ａ及び第２辺１１ｂ、１２ｂと、第１辺１１ａ、１２ａ及び第２辺１１ｂ、１２ｂと交差し且つ互いに並行して延びる第３辺１１ｃ、１２ｃ及び第４辺１１ｄ、１２ｄとをそれぞれ有する。基部１１及び天井部１２の第１辺１１ａ、１２ａは、ディスプレイ台１０の正面側に位置する辺であり、基部１１及び天井部１２の第２辺１１ｂ、１２ｂは、ディスプレイ台１０の背面側に位置する辺である。
【００１８】
基部１１の上面略中央部には、鉄道車両模型に係合する固定部１６が設けられており、鉄道車両模型は、その底部が固定部１６に係合することによって基部１１の上面に固定される。
【００１９】
支持部１３は、本例では四本の支柱１３ａ〜１３ｄによって構成されている。支柱１３ａは、ディスプレイ台１０の正面側に位置する基部１１及び天井部１２の第１辺１１ａ、１２ａの一方の端部間に設置され、支柱１３ｂは、第１辺１１ａ、１２ａの他方の端部間に設置される。また、支柱１３ｃは、ディスプレイ台１０の背面側に位置する基部１１及び天井部１２の第２辺１１ｂ、１２ｂの一方の端部間に設置され、支柱１３ｄは、第２辺１１ｂ、１２ｂの他方の端部間に設置される。
【００２０】
基部１１の上面及び天井部１２の下面には支柱１３ａ〜１３ｄの端部がそれぞれ挿し込まれる嵌合孔が設けられており、支柱１３ａ〜１３ｄの端部が基部１１及び天井部１２の嵌合孔にそれぞれ挿し込まれ、支柱１３ａ〜１３ｄは基部１１と天井部１２との間に設置される。そして、支柱１３ａは、ディスプレイ台１０が組み立てられた状態を維持したまま基部１１及び天井部１２に対して着脱可能とされている。
【００２１】
支柱１３ａの天井部１２側の端部が挿し込まれる天井部１２の上記嵌合孔は、天井部１２の側面に開放された溝（天井部１２の側方および下方に向けて開放された溝）であって、支柱１３ａの端部を受容可能な第１受容溝１４として構成されている。図２に示すように、基部１１の上記嵌合孔に挿し込まれた支柱１３ａの基部１１側の端部を支点に支柱１３ａが傾けられることにより、支柱１３ａの天井部１２側の端部は第１受容溝１４から外れ、支柱１３ａの天井部１２側の端部が第１受容溝１４から外れた状態で支柱１３ａが上方に引っ張られることにより、支柱１３ａの基部１１側の端部が基部１１の上記嵌合孔から引き抜かられる。このようにして、支柱１３ａは、ディスプレイ台１０が組み立てられた状態を維持したまま基部１１及び天井部１２に対して着脱される。
【００２２】
ディスプレイ台１０の正面側に位置する基部１１及び天井部１２の第１辺１１ａ、１２ａの一方の端部間、すなわちディスプレイ台１０の正面片側の隅に設置される支柱１３ａを、ディスプレイ台１０が組み立てられた状態を維持したまま、基部１１及び天井部１２に対して着脱可能であることから、図３に示すように、ディスプレイ台１０に展示された鉄道車両模型３０を鑑賞する際に支柱１３ａが鑑賞の邪魔だと感じた場合は、容易に支柱１３ａを取り外すことが可能である。すなわち、展示（つまり、ディスプレイ台１０に展示された鉄道車両模型３０）の鑑賞時の見栄えを容易に変更することができる。また、本実施形態の場合は、支柱１３ａを取り外すことにより、展示している鉄道車両模型３０を把持して、ディスプレイ台１０から取り出すことができる開口がディスプレイ台１０の正面側から側面側（第１辺１１ａ、１２ａ側から第４辺１１ｄ、１２ｄ側）にかけて形成されるようになっている。このことにより、ディスプレイ台１０が組み立てられた状態を維持したままでも、支柱１３ａを取り外すことにより、容易に展示している鉄道車両模型３０を取り出すことができ、また、展示する鉄道車両模型を異なるものに取り替えることも容易になっている。
【００２３】
また、図４に示すように、ディスプレイ台１０の背面側に位置する基部１１及び天井部１２の第２辺１１ｂ、１２ｂには、基部１１及び天井部１２の側面に開放された溝（基部１１の側方および上方に向けて開放された溝、ならびに、天井部１２の側方および下方に向けて開放された溝）であって、支柱１３ａの端部を受容可能な第２受容溝１５ａ、１５ｂがそれぞれ設けられている。
【００２４】
第２受容溝１５ａ、１５ｂには、ディスプレイ台１０が組み立てられた状態を維持したまま、ディスプレイ台１０の正面片側の隅から取り外された支柱１３ａの両端部を挿し込むことができ、ディスプレイ台１０の正面片側の隅から取り外された支柱１３ａを、展示された鉄道車両模型３０の鑑賞時の見栄えを損なうことなくディスプレイ台１０に収納して支柱１３ａの紛失を防ぐことが可能となる。
【００２５】
なお、本例では第１受容溝１４を天井部１２に設けているが、第１受容溝１４は基部１１に設けてもよく（その場合、第１受容溝１４は、基部１１の側方および上方に向けて開放された溝になる）、あるいは天井部１２及び基部１１の双方に設けてもよい。また、支柱１３ａを含む限りにおいて支持部１３の構成も適宜変更でき、例えば支柱１３ｂ〜１３ｄを壁材に置換してもよい。
【００２６】
ディスプレイ台１０は、一台を単独で展示するだけでなく、以下のように、複数のディスプレイ台１０を種々のレイアウトで連結して展示することが可能である。
【００２７】
図５に示すように、ディスプレイ台１０の基部１１及び天井部１２の第１辺１１ａ、１２ａには、第１辺１１ａ、１２ａの延在方向に延びるガイド溝１７、１７が設けられている。また、基部１１及び天井部１２の第２辺１１ｂ、１２ｂには、他のディスプレイ台１０のガイド溝１７、１７に沿って移動可能に当該ガイド溝１７、１７に係合可能な係合部１８、１８が設けられている。
【００２８】
そこで、図６に示すように、一方のディスプレイ台１０’の係合部１８、１８を他方のディスプレイ台１０のガイド溝１７、１７に係合させることにより、複数台のディスプレイ台１０を、第１辺１１ａ、１２ａ及び第２辺１１ｂ、１２ｂと交差する第３辺１１ｃ、１２ｃ及び第４辺１１ｄ、１２ｄの延在方向に連結することができる。また、係合部１８、１８はこの状態においてもガイド溝１７、１７に沿って移動可能であるため、第３辺１１ｃ、１２ｃ及び第４辺１１ｄ、１２ｄの延在方向に連結された複数台のディスプレイ台１０同士を、連結したままさらに第１辺１１ａ、１２ａ及び第２辺１１ｂ、１２ｂの延在方向に互いにずらすことができる。このことにより、連結された複数台のディスプレイ台１０のそれぞれに展示された鉄道車両模型３０からなる鉄道車両模型群について、その見え方に容易に変化をつけることができ、かつ、互いの位置関係が整然と整えられた状態を維持したまま各鉄道車両模型を展示することが可能となる。
【００２９】
この場合も、複数のディスプレイ台１０それぞれに展示された鉄道車両模型３０を鑑賞する際に支柱１３ａが鑑賞の邪魔だと感じたときには、複数のディスプレイ台１０の連結状態を維持したまま複数のディスプレイ台１０それぞれの支柱１３ａを取り外すことができるので、複数のディスプレイ台１０それぞれに展示された鉄道車両模型３０の鑑賞時の見栄えを容易に変更することができる。
【００３０】
また、図１に示すように、ディスプレイ台１０の天井部１２の第４辺１２ｄには連結凹部２０が設けられ、第３辺１２ｃには他のディスプレイ台１０の連結凹部２０に係合可能な連結凸部２１が設けられている。
【００３１】
そこで、図７に示すように、一方のディスプレイ台１０の連結凸部２１を他方のディスプレイ台１０の連結凹部２０に係合させることにより、複数台のディスプレイ台１０を第３辺１１ｃ、１２ｃ及び第４辺１１ｄ、１２ｄと交差する第１辺１１ａ、１２ａ及び第２辺１１ｂ、１２ｂの延在方向に連結することができる。
【００３２】
さらに、図８に示すように、一方のディスプレイ台１０の基部１１に載置された鉄道車両模型３０ともう一方のディスプレイ台１０’の基部１１に載置された鉄道車両模型３０とは連結器２２を介して連結可能であり、ディスプレイ台１０及びディスプレイ台１０’それぞれの固定部１６は、連結された鉄道車両模型３０にそれぞれ係合している。
【００３３】
この場合も、複数のディスプレイ台１０それぞれに展示された鉄道車両模型３０を鑑賞する際に支柱１３ａが鑑賞の邪魔だと感じたときには、複数のディスプレイ台１０の連結状態を維持したまま複数のディスプレイ台１０それぞれの支柱１３ａを取り外すことができるので、複数のディスプレイ台１０それぞれに展示された鉄道車両模型３０の鑑賞時の見栄えを容易に変更することができる。
【００３４】
また、図１に示すように、ディスプレイ台１０の天井部１２の四隅上面には、天井部１２の上面に載置された他のディスプレイ台１０’の基部１１の下面に係合して当該基部１１を位置決め可能な位置決め部２３が設けられている。
【００３５】
そこで、図９に示すように、ディスプレイ台１０の上部に他のディスプレイ台１０’を載置し、ディスプレイ台１０の位置決め部２３を他のディスプレイ台１０’の基部１１の下面に係合させることにより、複数のディスプレイ台１０を上下方向に重ねて展示することができる。
【００３６】
この場合も、複数のディスプレイ台１０それぞれに展示された鉄道車両模型３０を鑑賞する際に支柱１３ａが鑑賞の邪魔だと感じたときには、複数のディスプレイ台１０の積層状態を維持したまま複数のディスプレイ台１０それぞれの支柱１３ａを取り外すことができるので、複数のディスプレイ台１０それぞれに展示された鉄道車両模型３０の鑑賞時の見栄えを容易に変更することができる。
【００３７】
図１０に示すように、本実施形態のディスプレイ台１０には、ディスプレイする鉄道車両模型３０の名称などを記載したネームプレート２４を取り付けることもできる。ネームプレート２４は、天井部１２の第４辺１２ｄに設けた連結凹部２０に連結凸部２５を係合させることによって天井部１２に着脱可能に取り付けることができる。
【符号の説明】
【００３８】
１０    ディスプレイ台
１０’  ディスプレイ台
１１    基部
１１ａ  第１辺
１１ｂ  第２辺
１１ｃ  第３辺
１１ｄ  第４辺
１２    天井部
１２ａ  第１辺
１２ｂ  第２辺
１２ｃ  第３辺
１２ｄ  第４辺
１３    支持部
１３ａ  支柱
１４    第１受容溝
１５ａ  第２受容溝
１５ｂ  第２受容溝
１６    固定部
１７    ガイド溝
１８    係合部
２０    連結凹部
２１    連結凸部
２２    連結器
２３    位置決め部
２４    ネームプレート
２５    連結凸部
３０    鉄道車両模型
【図１】
2017202095.tif 000003
【図２】
2017202095.tif 000004
【図３】
2017202095.tif 000005
【図４】
2017202095.tif 000006
【図５】
2017202095.tif 000007
【図６】
2017202095.tif 000008
【図７】
2017202095.tif 000009
【図８】
2017202095.tif 000010
【図９】
2017202095.tif 000011
【図１０】
2017202095.tif 000012